(57)【特許請求の範囲】
【請求項１】
主走査方向に配列された複数の光電変換素子アレイを原稿に対して副走査方向に相対的に移動させることにより各光電変換素子から読取信号を出力する読取部と、
前記読取部が前記原稿を読み取った前記読取信号が網点画像に対するものであり、かつ、当該網点画像の濃度が所定の範囲内である場合、前記光電変換素子アレイの間の周辺部に位置する複数の前記光電変換素子から得られた当該網点画像に対する複数の読取信号に対し、当該読取信号に基づく出力画像の鮮明度を低下させる処理を、前記原稿の副走査方向の読み取り位置によって鮮明度を低下させる程度又は範囲が異なるように実行する処理部とを備えた画像処理装置。
【請求項２】
前記処理部は、前記光電変換素子アレイの間の周辺部に位置する複数の前記光電変換素子から得られた複数の読取信号を前記原稿の副走査方向の読み取り位置によって異なる補間係数により補間した信号を用いて前記鮮明度を低下させる処理を実行する請求項１に記載の画像処理装置。
【請求項３】
前記処理部は、前記光電変換素子アレイの間を挟む複数の前記光電変換素子の読取信号を入れ替える処理を実行し、前記入れ替えの対象となる前記光電変換素子の位置が副走査方向の読み取り位置によって異なる請求項１又は２に記載の画像処理装置。
【発明の詳細な説明】
【技術分野】
【０００１】
本発明は、画像処理装置に関する。
【背景技術】
【０００２】
従来、複数の撮像素子が配列された複数のチップを有する密着型イメージセンサにより原稿の画像を読み取る画像読取装置が知られている（例えば、特許文献１参照）。
【０００３】
この特許文献１に記載された画像読取装置は、直線配置された複数のチップに設けられた複数の撮像素子により原稿の画像情報を読み取る画像読取手段と、隣接するチップ間の境界に隣接する撮像素子の画像データを補間する演算を行い、その演算結果に基づいて隣接するチップ間の境界の画像データを補間する制御手段とを備えている。
【先行技術文献】
【特許文献】
【０００４】
【特許文献１】特開２００３−１０１７２４号公報
【発明の概要】
【発明が解決しようとする課題】
【０００５】
本発明の目的は、原稿の副走査方向の各読み取り位置について同じ処理内容の鮮明度を低下させるような処理を行った場合に比較して、光電変換素子アレイの間の周辺部にあたる出力画像の不連続性を目立たないようにすることが可能な画像処理装置を提供することにある。
【課題を解決するための手段】
【０００６】
本発明の一態様は、上記目的を達成するため、以下の画像処理装置を提供する。
【０００７】
［１］主走査方向に配列された複数の光電変換素子アレイを原稿に対して副走査方向に相対的に移動させることにより各光電変換素子から読取信号を出力する読取部と、前記読取部が前記原稿を読み取った前記読取信号が網点画像に対するものであり、かつ、当該網点画像の濃度が所定の範囲内である場合、前記光電変換素子アレイの間の周辺部に位置する複数の前記光電変換素子から得られた当該網点画像に対する複数の読取信号に対し、当該読取信号に基づく出力画像の鮮明度を低下させる処理を、前記原稿の副走査方向の読み取り位置によって鮮明度を低下させる程度又は範囲が異なるように実行する処理部とを備えた画像処理装置。
【０００８】
［２］前記処理部は、前記光電変換素子アレイの間の周辺部に位置する複数の前記光電変換素子から得られた複数の読取信号を前記原稿の副走査方向の読み取り位置によって異なる補間係数により補間した信号を用いて前記鮮明度低下処理を実行する前記［１］に記載の画像処理装置。
【００１０】
［３］前記処理部は、前記光電変換素子アレイの間を挟む複数の前記光電変換素子の読取信号を入れ替える処理を実行し、前記入れ替えの対象となる前記光電変換素子の位置が副走査方向の読み取り位置によって異なる請求項１又は２に記載の画像処理装置。
【発明の効果】
【００１２】
請求項１に記載の発明によれば、原稿の副走査方向の各読み取り位置について同じ処理内容の鮮明度低下処理を行った場合に比較して、光電変換素子アレイの間の周辺部にあたる出力画像の不連続性を目立たないようにすることが可能となる。
【００１３】
請求項２に記載の発明によれば、読取信号の補間を行わない場合に比較して、出力画像の不連続性を目立たないようにすることが可能となる。
【００１５】
請求項３に記載の発明によれば、光電変換素子の読取信号を入れ替える処理を実行しない場合に比較して、出力画像の不連続性を目立たないようにすることが可能となる。
【図面の簡単な説明】
【００１７】
【図１】本発明の第１の実施の形態に係る画像処理装置の構成例を示す全体図である。
【図２】本発明の第１の実施の形態に係るラインセンサの概略の構成を示す概略図である。
【図３】本発明の第１の実施の形態に係る画像処理装置の概略構成の一例を示すブロック図である。
【図４】本発明の第１の実施の形態に係る画像処理部の概略の構成を示すブロック図である。
【図５】本発明の第１の実施の形態に係る網点画像判定部による判定の一例を示す説明図である。
【図６】本発明の第１の実施の形態に係る濃度判定部による判定の一例を示す図である。
【図７】本発明の第１の実施の形態に係る原稿の画像の一例を示す図である。
【図８】本発明の第１の実施の形態に係る鮮明度低下処理部の処理の対象となる光電変換素子アレイを示す図である。
【図９】本発明の第１の実施の形態に係る網点画像判定部、濃度判定部、及び鮮明度低下処理部の処理手順を示すフローチャートである。
【図１０】本発明の第２の実施の形態に係る鮮明度低下処理部の処理の一例を説明する説明図である。
【図１１】本発明の第３の実施の形態に係る鮮明度低下処理部の処理の一例を説明する説明図である。
【図１２】本発明の第４の実施の形態に係る鮮明度低下処理部の処理の一例を説明する説明図である。
【発明を実施するための形態】
【００１８】
［第１の実施の形態］
図１は、本発明の第１の実施の形態に係る画像読取装置の構成例を示す全体図である。
【００１９】
この画像読取装置１は、画像が記録された原稿９を搬送する原稿搬送部２と、原稿９の表面９ａの画像を読み取る表面画像読取部３とを備えている。
【００２０】
（原稿搬送部の構成）
原稿搬送部２は、画像が記録された原稿９が置かれる給紙トレイ２０１と、搬送された原稿９が排出される排紙台２０２と、原稿９を給紙トレイ２０１から排紙台２０２へ搬送する搬送機構２１と、原稿９の搬送中に原稿９の裏面９ｂの画像を読み取る裏面画像読取部２２とを有している。
【００２１】
搬送機構２１は、給紙トレイ２０１に置かれた複数の原稿９の束から１枚の原稿９を分離する原稿分離ロール２１１と、原稿９を搬送する原稿搬送ロール２１２と、原稿９を表面画像読取部３の窓部３３に対向させる読取ロール２１３と、原稿９を裏面画像読取部２２に案内する案内ロール２１４と、原稿９を排紙台２０２に排出する排出ロール２１５とを有している。
【００２２】
裏面画像読取部２２は、原稿９の裏面９ｂに対して照明光を照射する光源２３と、光源２３の照明光が原稿９の裏面９ｂで反射した反射光を集光するセルフォックレンズ(登録商標)２４と、セルフォックレンズ２４により集光された反射光を測光する測光部の一例としてのラインセンサ２５と、ラインセンサ２５が実装された基板２６と、原稿９を案内する案内板２７とを有している。
【００２３】
（表面画像読取部の構成）
表面画像読取部３は、原稿９の表面９ａに対して照明光を照射する光源３１と、光源３１の光を透過するガラスなどの部材からなる窓部３３と、光源３１の照明光を窓部３３に導く導光体３２と、光源３１の照明光が原稿９の表面９ａで反射した反射光を反射する第１〜第３のミラー３３ａ〜３３ｃと、第１〜第３のミラー３３ａ〜３３ｃに導かれた反射光を集光するレンズ３４と、レンズ３４により集光された反射光を測光するＣＣＤ(Charge Coupled Device)センサ３５とを備えている。
【００２４】
また、表面画像読取部３は、光源３１，導光体３２，第１〜第３のミラー３３ａ〜３３ｃ，レンズ３４，及びＣＣＤセンサ３５を収容する筐体３０を有し、筐体３０の上部にはガラスなどの光透過性部材からなる原稿配置面３６が設けられている。光源３１，導光体３２，及び第１のミラー３３ａは、矢印Ａで示す副走査方向に移動可能な第１のキャリッジ３７に固定され、第２のミラー３３ｂ及び第３のミラー３３ｃは、第１のキャリッジ３７の半分の速度で副走査方向に移動可能な第２のキャリッジ３８に固定されている。第１のキャリッジ３７及び第２のキャリッジ３８は、原稿台３６に置かれた原稿の画像を読み取る場合には、図略のモータにより副走査方向に移動するように構成されている。
【００２５】
（ラインセンサの構成）
図２は、ラインセンサ２５の概略の構成を示す概略図である。ラインセンサ２５は、矢印Ｂで示す主走査方向に沿って配置された複数の光電変換素子アレイ２５１，２５２，２５３，・・・を有している。光電変換素子アレイ２５１は、隙間ｓを挟んで光電変換素子アレイ２５２と隣接して配置されている。光電変換素子アレイ２５１には、隙間ｓの側から順に光電変換素子２５１ａ，２５１ｂ，２５１ｃ，・・・が設けられている。また、光電変換素子アレイ２５２には、隙間ｓの側から順に光電変換素子２５２ａ，２５２ｂ，２５２ｃ，・・・が設けられている。
【００２６】
光電変換素子アレイ２５１の光電変換素子２５１ａと光電変換素子アレイ２５２の光電変換素子２５２ａとの間の間隔は、１つの光電変換素子アレイに設けられた光電変換素子のピッチ（例えば４０μｍ）よりも広くなっている。ラインセンサ２５には、例えば１６〜２４個の光電変換素子アレイが配列され、１つの光電変換素子アレイには例えば５００〜１０００個の光電変換素子が設けられている。
【００２７】
（画像処理装置の構成）
図３は、画像処理装置１０の概略構成の一例を示すブロック図である。画像処理装置１０は、主として、画像処理装置１０の全体の制御を行うコントローラ４０と、原稿搬送部２の各部を制御する裏面画像読取制御部４１と、表面画像読取部３の各部を制御する表面画像読取制御部４２と、ユーザの操作によって動作指示や各種設定等の入力が可能な操作パネル４３とによって構成されている。
【００２８】
裏面画像読取制御部４１は、駆動制御部４１１と、Ａ／Ｄ変換部４１２と、画像処理部４１３と、記憶部４１４と、乱数発生器４１５と、コントローラ４０に画像データを転送する画像データ転送部４１６とを有する。
【００２９】
駆動制御部４１１は、コントローラ４０からの読取指示を受け、裏面画像読取部２２の光源２３の制御と、搬送機構２１の原稿分離ロール２１１及び原稿搬送ロール２１２を回転させるためのモータ２１６の制御を行う。
【００３０】
Ａ／Ｄ変換部４１２は、ラインセンサ２５の光電変換素子２５１が出力した読取信号をアナログ信号からデジタル信号に変換する。
【００３１】
画像処理部４１３は、Ａ／Ｄ変換部４１２でデジタル信号に変換された読取信号に基づいて画像処理を行う。画像処理部４１３の画像処理の内容については後述する。
【００３２】
記憶部４１４は、ＲＯＭ（Read Only Memory）やＲＡＭ（Random Access Memory）等により構成され、画像処理部４１３で実行される処理のプログラムや光電変換素子２５１が出力した読取信号に基づく画像データ等を記憶する。
【００３３】
表面画像読取制御部４２は、コントローラ４０からの読取指示を受け、光源３１と第１及び第２のキャリッジ３７，３８を副走査方向に駆動する駆動部３９とを制御し、ＣＣＤ３５から原稿９の表面９ａの読み取り結果を受信し、この読み取り結果に応じた画像データをコントローラ４０に送るように構成されている。
【００３４】
（画像処理部の構成）
図４は、画像処理部４１３の概略の構成を示すブロック図である。画像処理部４１３は、画像情報生成部４１３ａと、網点画像判定部４１３ｂと、濃度判定部４１３ｃと、鮮明度低下処理部４１３ｄとを有している。
【００３５】
画像情報生成部４１３ａは、ラインセンサ２５の各光電変換素子２５１の出力がＡ／Ｄ変換部４１２によりデジタル信号に変換された読取信号に基づいて、原稿９の裏面９ａにおける主走査方向に沿った一列分の画像情報を生成し、生成した画像データを記憶部４１４に記憶させる。
【００３６】
網点画像判定部４１３ｂは、画像情報生成部４１３ａが生成した画像情報に基づいて、読み取られた画像が網点画像か否かを判定する。ここで、「網点画像」とは、地色（例えば白）とは異なる色（例えば黒）の多数の点により画像の濃淡を表現した画像である。
【００３７】
濃度判定部４１３ｃは、網点画像判定部４１３ｂで読み取られた画像が網点画像であると判定された場合に、その網点画像の濃度を演算し、網点画像の濃度が所定の範囲内であるか否かを判定する。
【００３８】
鮮明度低下処理部４１３ｄは、濃度判定部４１３ｃで網点画像の濃度が所定の範囲内であると判定された場合に、主走査方向に隣接して配置された光電変換素子アレイ２５１，２５２の間の位置の周辺部における光電変換素子２５１から得られた読取信号に対し、その読取信号により表される画像の鮮明度を低下させる鮮明度低下処理を、原稿９の副走査方向の読み取り位置によって鮮明度低下の程度又は範囲が異なるようにして実行する。
【００３９】
図５は、網点画像判定部４１３ｂによる判定の一例を示す図である。ラインセンサ２５が図５（ａ）に示す原稿９のグラデーション画像９１を主走査方向に沿った読み取りライン９１ａで読み取ったとき、各光電変換素子２５１の読取信号のレベルは図５（ｄ）に示すようにグラデーション画像９１の濃度の変化に応じて緩やかに変化する。
【００４０】
また、ラインセンサ２５が図５（ｂ）に示す原稿９の網点画像９２を主走査方向に沿った読み取りライン９２ａで読み取ったとき、各光電変換素子２５１の読取信号のレベルの分布は、図５（ｅ）に示すように規則的に強弱が表れる繰り返しのパターンとなる。
【００４１】
また、ラインセンサ２５が図５（ｃ）に示す原稿９の文字画像９３を主走査方向に沿った読み取りライン９３ａで読み取ったとき、各光電変換素子２５１の読取信号のレベルの分布は、図５（ｆ）に示すように不規則に強弱が表れるパターンとなる。
【００４２】
網点画像判定部４１３ｂは、図５（ｄ）に示すように、各光電変換素子２５１の読取信号のレベルが主走査方向に沿って規則的に強弱が表れる場合に網点画像であると判定する。
【００４３】
図６は、濃度判定部４１３ｃによる判定の一例を示す図である。濃度判定部４１３ｃは、網点画像判定部４１３ｂで網点画像であると判定された画像について、光電変換素子２５１の読取信号の強度が閾値ＳＨ以上である割合を演算し、この割合が所定の範囲内であるか否かを判定する。本実施の形態では、閾値ＳＨ以上である割合が３０％から６０％である場合に所定の範囲内であると判定する。
【００４４】
図６（ａ）に示す低濃度の網点画像９４を主走査方向に沿った読み取りライン９４ａで読み取ったとき、各光電変換素子２５１の読取信号の強度の分布は図６（ｄ）に示すようになり、光電変換素子２５１の読取信号の強度が閾値ＳＨ以上である割合が例えば８０％となる。この場合には、濃度判定部４１３ｃは網点画像の濃度が所定の範囲内ではないと判定する。
【００４５】
図６（ｂ）に示す中濃度の網点画像９５を主走査方向に沿った読み取りライン９５ａで読み取ったとき、各光電変換素子２５１の読取信号の強度の分布は図６（ｅ）に示すようになり、光電変換素子２５１の読取信号の強度が閾値ＳＨ以上である割合が例えば５０％となる。この場合には、濃度判定部４１３ｃは網点画像の濃度が所定の範囲内であると判定する。
【００４６】
図６（ｃ）に示す高濃度の網点画像９６を主走査方向に沿った読み取りライン９６ａで読み取ったとき、各光電変換素子２５１の読取信号の強度の分布は図６（ｆ）に示すようになり、光電変換素子２５１の読取信号の強度が閾値ＳＨ以上である割合が例えば２０％となる。この場合には、濃度判定部４１３ｃは網点画像の濃度が所定の範囲内ではないと判定する。
【００４７】
図７は、網点画像判定部４１３ｂ及び濃度判定部４１３ｃの判定の対象となる原稿９の画像の一例を示す。網点画像判定部４１３ｂは、原稿９の画像の中に、網点画像領域９７の他に文字領域９８や図画領域９９が存在する場合には、網点画像領域９７のみについて網点画像であると判定する。濃度判定部４１３ｃは、網点画像判定部４１３ｂが判定した網点画像領域９７の濃度を判定する。鮮明度低下処理部４１３ｄは、濃度判定部４１３ｃが網点画像の濃度が所定の範囲内であると判定した領域について鮮明度低下処理を実行する。
【００４８】
図８は、鮮明度低下処理部４１３ｄの処理の対象となる光電変換素子２５１，２５２を示す図である。本実施の形態では、図８に示すように、主走査方向に隣接する２つの光電変換素子アレイ２５１及び光電変換素子アレイ２５２の間の位置に形成された隙間ｓを挟んで、主走査方向の両側に位置する８つの光電変換素子２５１ａ〜２５１ｄ及び光電変換素子２５２ａ〜２５２ｄの読取信号に対して鮮明度低下処理を行う。
【００４９】
光電変換素子２５１ａ〜２５１ｄは光電変換素子アレイ２５１に設けられ、光電変換素子２５２ａ〜２５２ｄは光電変換素子アレイ２５０ｂに設けられている。光電変換素子２５１ａと光電変換素子２５２ａとの間には、光電変換素子２５０のピッチよりも広い間隔が開いている。
【００５０】
光電変換素子２５１ａ〜２５１ｄ及び光電変換素子２５２ａ〜２５２ｄの読取信号の強度の値をそれぞれＦ（１）〜Ｆ（８）とすると、鮮明度低下処理部４１３ｄは、乱数発生器４１５から取得した乱数を用いて隣り合う２つの光電変換素子の読取信号の強度の値を補間し、補間の結果得られた値により記憶部４１４に記憶されたＦ（１）〜Ｆ（８）の値を置き換える処理を行う。
【００５１】
より具体的には、鮮明度低下処理部４１３ｄは、補間係数として乱数発生器４１５から取得した０から１までの値の乱数ｒ１を用いて、ｒ１×Ｆ（１）＋（１−ｒ１）×Ｆ（２）の演算を行い、演算の結果をＦ（１）に代入する。また、鮮明度低下処理部４１３ｄは、乱数発生器４１５から新たな乱数ｒ２を取得し、ｒ２×Ｆ（２）＋（１−ｒ２）×Ｆ（３）の演算を行い、演算の結果をＦ（２）に代入する。Ｆ（３）〜Ｆ（８）についても同様の演算を行い結果を記憶部４１４に記憶する。なお、光電変換素子２５２ｄについては、隣接する光電変換素子２５２ｅの読取信号の強度を示すＦ（９）の値を用いて演算を行う。
【００５２】
画像処理部４１３は、ラインセンサ２５が主走査方向に沿った１つの読取ラインを読み取るたびに網点画像判定部４１３ｂ、濃度判定部４１３ｃ、及び鮮明度低下処理部４１３ｄの処理を行う。鮮明度低下処理部４１３ｄの演算に用いられる補間係数としての乱数は演算のたびに変わるため、鮮明度低下処理部４１３ｄの演算の内容は原稿９の読み取り箇所の副走査方向の位置によって変化する。
【００５３】
（画像処理装置の動作）
図１〜９を参照して画像形成装置１の動作を説明する。
【００５４】
ユーザが給紙トレイ２０１に原稿９を置いて操作パネル４３から画像の読取を指示すると、コントローラ４０は操作パネル４３からその情報を受信し、表面画像読取制御部４２及び裏面画像読取制御部４１に対して画像の読取を指示する指示情報を送信する。
【００５５】
表面画像読取制御部４２は、コントローラ４０からの指示を受け、光源３１を発光させると共に、駆動部３９を制御して窓部３３から光源３１の照射光が原稿９の表面９ａを照射するように第１及び第２のキャリッジ３７，３８を位置決めする。また、表面画像読取制御部４２は、ＣＣＤ２５から得られた画像情報をコントローラ４０に転送する。
【００５６】
裏面画像読取制御部４１の駆動制御部４１１は、コントローラ４０からの指示を受け、光源２３を発光させると共に、モータ２１６を駆動して搬送機構２１を動作させる。搬送機構２１は、給紙トレイ２０１に置かれた原稿９の１枚を読取ローラ２１３と窓部３３との間、及び裏面画像読取部２２を介して排紙台２０２に搬送する。
【００５７】
裏面画像読取部２２のラインセンサ２５は、搬送機構２１による原稿９の搬送中に、複数の光電変換素子アレイ２５０のそれぞれに設けられた複数の光電変換素子２５１によって、光源２３の照射光が原稿９の裏面９ｂで反射した反射光を光電変換し、読取信号として出力する。ラインセンサ２５は、１枚の原稿９の読み取りが完了するまで、所定の時間間隔で繰り返し読取信号を出力する。
【００５８】
裏面画像読取制御部４１のＡ／Ｄ変換部４１２は、ラインセンサ２５から出力された読取信号をデジタル信号に変換し、画像処理部４１３に出力する。
【００５９】
画像処理部４１３の画像情報生成部４１３ａは、ラインセンサ２５が出力した１つの読取ライン分の読取信号をＡ／Ｄ変換したデジタル信号をＡ／Ｄ変換器４１２から取得し、１つの読取ライン分の画像情報として記憶部４１４に記憶する。
【００６０】
図９は、網点画像判定部４１３ｂ、濃度判定部４１３ｃ、及び鮮明度低下処理部４１３ｄの処理手順を示すフローチャートである。
【００６１】
網点画像判定部４１３ｂは、画像情報生成部４１３ａが１つの読取ライン分の画像情報を記憶部４１４に記憶したとき、その画像情報に基づいて、ラインセンサ２５が読み取った画像が網点画像か否かを判定する（Ｓ１０）。
【００６２】
網点画像判定部４１３ｂが網点画像であると判定した場合（Ｓ１０；Ｙｅｓ）、濃度判定部４１３ｃは網点画像の濃度が所定の範囲内か否かを判定する（Ｓ１１）。
【００６３】
濃度判定部４１３ｃが網点画像の濃度が所定の範囲内であると判定した場合（Ｓ１１；Ｙｅｓ）、鮮明度低下処理部４１３ｄは、記憶部４１４に記憶された画像情報に対して鮮明度低下処理を実行する（Ｓ１２）。鮮明度低下処理の演算に用いる補間係数は演算のたびに異なるので、ラインセンサ２５が出力した１つの読取ライン分の読取信号が前回と全く同じであったとしても、光電変換素子アレイの間の周辺部にあたる画像情報の内容は変化する。
【００６４】
鮮明度低下処理部４１３ｄの処理が終了すると、記憶部４１４に記憶された画像データが画像データ転送部４１６を介してコントローラ４０に送信される。コントローラ４０は、この画像データを図略の外部Ｉ／Ｆを介して出力画像を示す情報として出力する。
【００６５】
［第２の実施の形態］
次に、本発明の第２の実施の形態について説明する。
【００６６】
本実施に係る鮮明度低下処理部４１３ｄは、隣接する光電変換素子の読取信号の強度を補間し、補間の結果得られた値により記憶部４１４に記憶された読取信号を置き換えると共に、補間処理を行う光電変換素子の主走査方向の範囲が副走査方向の読み取り位置によって変わるように構成されている。
【００６７】
図１０は、本実施の形態に係る鮮明度低下処理部４１３ｄの処理の一例を説明する図である。この図では、（ａ）に示す第１〜第３の読取ライン８１〜８３で原稿９の画像を読み取った際に補間処理を行う光電変換素子の主走査方向の範囲を（ｂ）〜（ｄ）に示している。
【００６８】
ラインセンサ２５は、図１０（ａ）に示すように、原稿９の画像を主走査方向（矢印Ａで示す）に沿った第１〜第３の読取ライン８１〜８３で読み取る。ラインセンサ２５は、搬送機構２１により原稿９がラインセンサ２５に対して相対移動しているときに原稿９の画像を読み取るので、第１〜第３の読取ライン８１〜８３は副走査方向（矢印Ｂで示す）の読み取り位置が異なっている。
【００６９】
ラインセンサ２５が第１〜第３の読取ライン８１で原稿９の画像を読み取ったとき、鮮明度低下処理部４１３ｄは、図１０（ｂ）に示すように、主走査方向に隣接する光電変換素子アレイ２５１及び光電変換素子アレイ２５２の間の位置を挟むそれぞれ４つの光電変換素子２５１ａ〜２５１ｄ及び光電変換素子２５２ａ〜２５１ｄの読取信号に対して補間処理を行う。
【００７０】
より具体的には、光電変換素子２５１ａの読取信号を、光電変換素子２５１ａの読取信号と、光電変換素子２５１ａに隣接する２５１ｂの読取信号とを補間係数を用いて補間処理を行い、補間処理の結果として得られた信号に光電変換素子２５１ａの読取信号を置き換える。以下同様に、光電変換素子２５１ｂ〜２５１ｄ及び光電変換素子２５２ａ〜２５１ｄの読取信号に対して、それぞれの光電変換素子に隣接する他の光電変換素子の読取信号を用いて補間処理を行う。この補間係数は、予め定められた値（例えば０．５）でもよく、乱数発生器４１５から取得した値を用いてもよい。
【００７１】
また、ラインセンサ２５が第１〜第３の読取ライン８２で原稿９の画像を読み取ったとき、鮮明度低下処理部４１３ｄは、図１０（ｃ）に示すように、主走査方向に隣接する光電変換素子アレイ２５１及び光電変換素子アレイ２５２の間の位置を挟むそれぞれ６つの光電変換素子２５１ａ〜２５１ｆ及び光電変換素子２５２ａ〜２５１ｆの読取信号に対して補間処理を行う。
【００７２】
また、ラインセンサ２５が第１〜第３の読取ライン８３で原稿９の画像を読み取ったとき、鮮明度低下処理部４１３ｄは、図１０（ｄ）に示すように、主走査方向に隣接する光電変換素子アレイ２５１及び光電変換素子アレイ２５２の間の位置を挟むそれぞれ２つの光電変換素子２５１ａ，２５１ｂ及び光電変換素子２５２ａ，２５１ｂの読取信号に対して補間処理を行う。
【００７３】
補間処理を行う光電変換素子の主走査方向の範囲は、予め定められた順序で変更してもよく、乱数発生器４１５から取得した値に基づいて変更してもよい。乱数発生器４１５から取得した値に基づいて補間処理を行う光電変換素子の主走査方向の範囲を変更すれば、出力画像に周期的な変動が表れることが抑制される。
【００７４】
［第３の実施の形態］
次に、本発明の第３の実施の形態について説明する。
【００７５】
本実施に係る鮮明度低下処理部４１３ｄは、隣接する光電変換素子アレイの間の周辺部に位置する光電変換素子から得られた読取信号に示される出力画像のドットサイズを副走査方向の読み取り位置によって変更するように構成されている。
【００７６】
図１１は、本実施の形態に係る鮮明度低下処理部４１３ｄの処理の一例を説明する図である。図１０（ａ）は、原稿９の画像を読み取った際の光電変換素子２５１ａ〜２５１ｆ及び光電変換素子２５２ａ〜２５２ｆの読取信号の強度の分布を示し、これらの読取信号で表される出力画像の濃度を曲線８ａで示している。
【００７７】
鮮明度低下処理部４１３ｄは、光電変換素子２５１ａ〜２５１ｆ及び光電変換素子２５２ａ〜２５２ｆの読取信号に対し、出力画像のドットサイズが変わるように読取信号の強度を変更する処理を行う。
【００７８】
図１１（ｂ）は、光電変換素子２５１ａ〜２５１ｆの読取信号の強度を高くし、光電変換素子２５２ａ〜２５２ｆの読取信号の強度を低くした場合の読取信号の強度の分布、及び変更後の読取信号により表される出力画像の濃度の分布を示す。変更後の読取信号により表される出力画像の濃度の分布を示す曲線８ｂは、変更前の出力画像の濃度を曲線８ａ（図１０（ｂ）に破線で示す）に比較して主走査方向の一側に移動し、出力画像のドットサイズが変化している。
【００７９】
図１１（ｃ）は、光電変換素子２５１ａ〜２５１ｆの読取信号の強度を低くし、光電変換素子２５２ａ〜２５２ｆの読取信号の強度を高くした場合の読取信号の強度の分布、及び変更後の読取信号により表される出力画像の濃度の分布を示す。変更後の読取信号により表される出力画像の濃度の分布を示す曲線８ｃは、変更前の出力画像の濃度を曲線８ａ（図１１（ｃ）に破線で示す）に比較して主走査方向の他側に移動し、出力画像のドットサイズが変化している。
【００８０】
鮮明度低下処理部４１３ｄは、出力画像のドットサイズが変化するように、副走査方向の読み取り位置によって異なる変更幅で光電変換素子２５１ａ〜２５１ｆ，２５２ａ〜２５２ｆの読取信号を変更する。読取信号の変更幅は、予め定められた値を用いてもよく、乱数発生器４１５から取得した値に基づいて読取信号の変更幅を随時変更してもよい。乱数発生器４１５から取得した値に基づいて読取信号の変更幅を変更すれば、出力画像に周期的な変動が表れることが抑制される。
【００８１】
［第４の実施の形態］
次に、本発明の第４の実施の形態について説明する。
【００８２】
図１２は、本実施の形態に係る鮮明度低下処理部４１３ｄの処理の一例を説明する図である。本実施に係る鮮明度低下処理部４１３ｄは、光電変換素子アレイ２５１，２５２の間を挟む複数の光電変換素子の読取信号を入れ替える処理を実行する。鮮明度低下処理部４１３ｄは、この入れ替えの対象となる読取信号に対応する光電変換素子の位置を、副走査方向の読み取り位置によって変更する。
【００８３】
図１２（ａ）に示す例では、光電変換素子アレイ２５１の光電変換素子２５１ａと光電変換素子アレイ２５２の光電変換素子２５２ａ、及び光電変換素子アレイ２５１の光電変換素子２５１ｂと光電変換素子アレイ２５２の光電変換素子２５２ｂの読取信号をそれぞれ入れ替える。また、図１２（ｂ）に示す例では、光電変換素子アレイ２５１の光電変換素子２５１ａと光電変換素子アレイ２５２の光電変換素子２５２ｂ、及び光電変換素子アレイ２５１の光電変換素子２５１ｂと光電変換素子アレイ２５２の光電変換素子２５２ａの読取信号をそれぞれ入れ替える。
【００８４】
このように、鮮明度低下処理部４１３ｄは、副走査方向の読み取り位置によって異なる位置の光電変換素子の読取信号を入れ替えることにより鮮明度低下処理を実行する。
【００８５】
［他の実施の形態］
なお、本発明は、上記各実施の形態に限定されず、その用紙を変更しない範囲で種々な変形が可能である。
【００８６】
例えば、上記各実施の形態では、網点画像について鮮明度低下処理を行う場合について説明したが、これに限らず、網点画像以外の画像の読み取りの際に鮮明度低下処理を行ってもよい。
【００８７】
また、上記の各実施の形態では、原稿の両面を読み取ることが可能な画像処理装置に本発明を適用した場合について説明したが、これに限らず、原稿の片面のみを読み取る画像処理装置に本発明を適用してもよい。
【符号の説明】
【００８８】
１…画像読取装置、２…原稿搬送部、３…表面画像読取部、９…原稿、９ａ…表面、９ａ…裏面、１０…画像処理装置、２１…搬送機構、２２…裏面画像読取部、２３…光源、２４…セルフォックレンズ、２５…ラインセンサ、２６…基板、２７…案内板、３０…筐体、３１…光源、３２…導光体、３３…窓部、３３ａ…第１のミラー、３３ｂ…第２のミラー、３３ｃ…第３のミラー、３４…レンズ、３５…センサ、３６…原稿台、３７…第１のキャリッジ、３８…第２のキャリッジ、３９…駆動部、４０…コントローラ、４１…裏面画像読取制御部、４２…表面画像読取制御部、４３…操作パネル、８１，８２，８３…読取ライン、９１…グラデーション画像、９２…網点画像、９３…文字画像、９４，９５，９６…網点画像、９７…網点画像領域、９８…文字領域、２０１…給紙トレイ、２０２…排紙台、２１１…原稿分離ロール、２１２…稿搬送ロール、２１３…読取ロール、２１３…読取ローラ、２１４…案内ロール、２１５…排出ロール、２１６…モータ、２５０，２５１，２５２…光電変換素子アレイ、２５１ａ-２５１ｆ，２５２ａ-２５２ｆ…光電変換素子、４１１…駆動制御部、４１２…変換部、４１２…変換器、４１３…画像処理部、４１３ａ…画像情報生成部、４１３ｂ…網点画像判定部、４１３ｃ…濃度判定部、４１３ｃ…網点画像判定部、４１３ｄ…鮮明度低下処理部、４１４…記憶部、４１５…乱数発生器、ｓ…隙間
【図１】
0005549269.tif 000002
【図２】
0005549269.tif 000003
【図３】
0005549269.tif 000004
【図４】
0005549269.tif 000005
【図５】
0005549269.tif 000006
【図６】
0005549269.tif 000007
【図７】
0005549269.tif 000008
【図８】
0005549269.tif 000009
【図９】
0005549269.tif 000010
【図１０】
0005549269.tif 000011
【図１１】
0005549269.tif 000012
【図１２】
0005549269.tif 000013